(57)【要約】【課題】簡単な構造でハンドルの閉塞確認を行うことができるクランプ式鎖錠装置を提供する。【解決手段】本体４と、この本体４に頭部が軸支されるハンドル５と、このハンドル５の起伏操作によって回動される上クランプ部７及び下クランプ部８と、を備えたクランプ式鎖錠装置において、ハンドル５が閉状態となるときに、このハンドル５に形成した係止部１８と当接して節度感を持たせるバネ機構部１７を、本体４に設けるものとした。【選択図】図５
2017043977.tif 000002
【特許請求の範囲】
【請求項１】
本体と、
この本体に頭部が軸支されるハンドルと、
このハンドルの起伏操作によって回動されるクランプ部とを備えたクランプ式鎖錠装置において、
前記ハンドルが閉状態となるときに、
このハンドルに形成した係止部と当接して節度感を持たせるバネ機構部を、前記本体に設けたことを特徴とするクランプ式鎖錠装置。
【請求項２】
前記係止部またはバネ機構部は垂直断面略く字状を有することを特徴とする請求項１記載のクランプ式鎖錠装置。
【請求項３】
前記ハンドルを本体に鎖錠するための鎖錠部をハンドルに設け、
この鎖錠部と対向する位置に、前記係止部及びバネ機構部を設けたことを特徴とする請求項１または２記載のクランプ式鎖錠装置。
【請求項４】
前記係止部は、ハンドルに設けたシリンダ錠のキープレートとしたことを特徴とする請求項１乃至３の何れかに記載のクランプ式鎖錠装置。
【請求項５】
前記バネ機構部は、前記ハンドルを開状態または閉状態に保持するトグルバネとしたことを特徴とする請求項１または２記載のクランプ式鎖錠装置。
【発明の詳細な説明】
【技術分野】
【０００１】
本発明は、クランプ式の鎖錠装置に関するものである。
【背景技術】
【０００２】
電気機器収納用箱等に取付けられた扉を鎖錠するために、クランプ式の鎖錠装置が用いられる。クランプ式の鎖錠装置は、扉に取付けられる本体と、本体に頭部が軸支されるハンドルと、ハンドルの起伏操作により回動され、筐体の上下２点をクランプすることで扉を鎖錠する互いに逆向きの上下のクランプ部とを備えている（特許文献１）。
【０００３】
そして、前記ハンドルを本体内に収納するように閉状態とすることで、クランプ部を動作させてロックを行うものとしている。ここで、閉状態となったハンドルの防水性能を高めるために、ハンドルと本体との間にはパッキンが設けられる。ところが、パッキンの反発力によりハンドルがわずかに浮き上がってしまい、ハンドルの閉塞確認が困難であるという問題があった。
【０００４】
この問題を解決するために、ハンドルの端部をラッチ等により係止してハンドルを閉塞するものとし、またハンドルを引き上げる際にはこのラッチを動作させる構造が開示されている（例えば特許文献２）。しかしながら、ラッチを配設する分、部品点数が多くなってしまいコスト高となる問題があった。
【先行技術文献】
【特許文献】
【０００５】
【特許文献１】特許第４３４９６０９号公報
【特許文献２】特開２０１４−１６３０９６号公報
【発明の概要】
【発明が解決しようとする課題】
【０００６】
本発明の目的は前記した従来の問題点を解決し、簡単な構造でハンドルの閉塞確認を行うことができるクランプ式鎖錠装置を提供することである。
【課題を解決するための手段】
【０００７】
上記課題を解決するためになされた本発明は、本体と、この本体に頭部が軸支されるハンドルと、このハンドルの起伏操作によって回動されるクランプ部とを備えたクランプ式鎖錠装置において、前記ハンドルが閉状態となるときに、このハンドルに形成した係止部と当接して節度感を持たせるバネ機構部を、前記本体に設けたことを特徴とするものである。
【０００８】
請求項２記載の発明は、請求項１記載のクランプ式鎖錠装置において、前記係止部またはバネ機構部は垂直断面略く字状を有することを特徴とするものである。
【０００９】
請求項３記載の発明は、請求項１または２記載のクランプ式鎖錠装置において、前記ハンドルを本体に鎖錠するための鎖錠部をハンドルに設け、この鎖錠部と対向する位置に、前記係止部及びバネ機構部を設けたことを特徴とするものである。
【００１０】
請求項４記載の発明は、請求項１乃至３の何れかに記載のクランプ式鎖錠装置において、前記係止部は、ハンドルに設けたシリンダ錠のキープレートとしたことを特徴とするものである。
【００１１】
請求項５記載の発明は、請求項１または２記載のクランプ式鎖錠装置において、前記バネ機構部は、前記ハンドルを開状態または閉状態に保持するトグルバネとしたことを特徴とするものである。
【発明の効果】
【００１２】
本発明に係るクランプ式鎖錠装置は、ハンドルが閉状態となるときに、このハンドルに形成した係止部と当接して節度感を持たせるバネ機構部を本体に設けるものとした。これにより、係止部がバネ機構部と当接するという簡単な構造により、ハンドル閉塞時に使用者が節度感を得ることができ、このハンドルが確かに閉塞状態となったことを把握・確認することができるものとなる。
【００１３】
請求項２に係る発明のように、係止部またはバネ機構部は垂直断面略く字状を有するものとすることで、係止部またはバネ機構部による係止／係止解除のガイドが容易なものとなる。
【００１４】
請求項３に係る発明のように、鎖錠部と対向する位置に係止部及びバネ機構部を設けたことにより、本体の幅方向のサイズを小さくすることができる。
【００１５】
請求項４に係る発明のように、係止部をハンドルに設けたシリンダ錠のキープレートとすることで、係止部として新たな部材を別途設ける必要がないものとなる。
【図面の簡単な説明】
【００１６】
【図１】電気機器収納用箱の全体斜視図である。
【図２】図１の要部（クランプ式鎖錠装置）を示す断面図及び斜視図である。
【図３】クランプ式鎖錠装置の正面図および斜視図である。
【図４】クランプ式鎖錠装置の側面図である。
【図５】クランプ式鎖錠装置のリンク機構を示す断面図である。
【図６】クランプ式鎖錠装置のリンク機構を示す断面図である。
【図７】クランプ式鎖錠装置のリンク機構を示す断面図である。
【図８】クランプ式鎖錠装置のリンク機構を示す断面図である。
【図９】ハンドルのロック状態を示す断面図である。
【図１０】クランプ式鎖錠装置の分解図である。
【図１１】図３の本体を省略した斜視図である。
【図１２】（ａ）リンク機構の詳細を示す斜視図である。（ｂ）異なる角度からのリンク機構の詳細を示す斜視図である。（ｃ）下クランプ部を省略した斜視図である。
【図１３】実施形態２を示す断面斜視図である。
【図１４】実施形態２を示す断面図である。
【発明を実施するための形態】
【００１７】
以下に本発明の好ましい実施形態を示す。
（実施形態１）
図１のように、電気機器収納用箱１に取付けられた扉２には、この扉２を鎖錠するためのクランプ式鎖錠装置３が設けられている。クランプ式鎖錠装置３は、図２及び図３のように、扉２に取付けられる本体４と、本体４にその頭部が軸支されるハンドル５と、リンク機構部６とを備える。このリンク機構部６はハンドル５の起伏操作によって回動される互いに逆向きに設けられた上クランプ部７及び下クランプ部８とを有し、またこれら上クランプ部７及び下クランプ部８は、後述するリンク部材３１、３２、３３により回動される。図４のように、下クランプ部８はフック形状を有するものとしており、電気機器収納用箱１側の図示しない金具をクランプすることで扉２を鎖錠することができる。なお本実施形態では、図１に示すように、上クランプ部７及び下クランプ部８の先端にそれぞれロッド棒９を連結して、ロッド棒９を電気機器収納用箱１に形成した金具１ａに係合させ扉２の上下２点をロックできるものとしている。
【００１８】
図４に示すように、ハンドル５の頭部に対する反対側の端部にはシリンダ錠１０を設けるものとし、このシリンダ錠１０は、ハンドル５を閉状態とした後に、ハンドル５を本体４にロックするための鎖錠部であるキープレート１１を内蔵している。詳細には、図５のハンドル５開状態から、図６、図７の状態を介して、図８のハンドル５閉状態となるが、ここで、図示しない鍵をシリンダ錠１０の鍵穴部１２に挿入して回動させることで、キープレート１１がガイドされて図中左方向に摺動し、本体４のキープレート収納部１３に入り込む。これにより、図９のようにハンドル５が本体４にロックされることとなる。
【００１９】
図１０に示すように、本体４には、前記したハンドル５に設けたシリンダ錠１０が収納されるシリンダ収納部１４が形成されている。さらに本体４にはリンク機構部６を挿通する開口部１５と、ハンドル５の頭部を挿通する筒部１６とがそれぞれ分離して形成されている。また、ハンドル５の頭部は筒部１６内部で第１軸２１により本体４に軸支されている。なお、４１は開口部１５を防水するパッキン、４２はハンドル５の頭部を防水するＯリング、４３は本体４と扉２との間を防水するパッキンである。
【００２０】
図２及び図５のように、シリンダ収納部１４の内部には、垂直断面略く字状に形成したステンレス製のバネ機構部１７を設けるものとし、このバネ機構部１７はねじ１７ａにより本体４に固定されている。さらに、ハンドル５のシリンダ錠１０の側面には係止部１８を設けるものとして、ハンドル５を閉じる際にはこの係止部１８がバネ機構部１７と当接して節度感を持たせるものとしている。ここで、係止部１８は図５の状態、即ちハンドル５非ロック状態において、シリンダ錠１０の側面から図中右下方向に突出しているキープレート１１を兼用することで、新たな部材を別途設ける必要がないものとしている。
【００２１】
以上の構成により、係止部１８がバネ機構部１７と当接するという簡単な構造により、ハンドル５閉塞時に使用者が節度感を得ることができ、これによりハンドル５が確かに閉塞状態となったことを把握・確認することができるものとしている。
【００２２】
なお、係止部１８はキープレート１１に限定されず、その他にも突起等をハンドル５に一体または着脱可能に形成し、バネ機構部１７と当接させるものとしても良い。また、本実施形態のように、ハンドル５を本体４にロックする鎖錠部（キープレート１１）と対向する位置に、バネ機構部１７を配置することがより好ましい。このように、キープレート１１を摺動させることにより、ハンドル５を本体４にロックする、またはバネ機構部１７に当接して節度感を持たせるという双方の機能を備えるものとし、本体４の幅方向のサイズを小さくすることができるものとしている。また、ハンドル５の回動軌跡に沿って係止部１８も円弧状の軌跡を描いて移動するため、ハンドル５の回動軌跡に沿ってバネ機構部１７を形成することにより、係止部１８の係止／係止解除をガイドし易いものとしている。
【００２３】
また本実施形態では、バネ機構部１７を垂直断面略く字状に形成することで、係止部１８がバネ機構部の表面に沿って移動して係止／係止解除が容易となる構造を採用しているが、反対に係止部１８を垂直断面略く字状に形成しても差し支えない。
【００２４】
図５のように、シリンダ収納部１４のうちバネ機構部１７の基端側となる箇所には、逃げ部１９を形成している。これにより、バネ機構部１７をより長く形成して耐久性を高めることができる。また、係止部１８をバネ機構部１７から離脱させる際には、略く字状の基端部側に係合されるため、挿入時よりも保持力が高くなり、ハンドル５の起き上がりを効果的に防止することができる。また、バネ機構部１７をステンレス製とすることで、屋外に電気機器収納用箱１を設置した場合でも、錆等が生じ難くなり劣化による保持力の低下を抑制することが可能となる。
【００２５】
リンク機構部６の詳細構造について、以下に説明する。
図５及び図１１のように、ハンドル５は、第２軸２２により第１リンク３１と枢着されており、またこの第１リンク３１は、第３軸２３により下クランプ部８と枢着されている。さらに、この下クランプ部８は第５軸２５により本体４に軸支されている。まとめると、第１軸２１、第５軸２５が本体４に対する固定点であり、ハンドル５を閉じることにより、第２軸２２、第３軸２３が、図５の状態から図６、図７のような軌跡で円弧運動をすることで、第１リンク３１及び下クランプ部８を回動させ、図８の状態となる。このように、第１軸２１、第２軸２２、第３軸２３、第５軸２５の４点によるリンク機構により、下クランプ部８を回動させるように動作させるものとしている。なお、このリンク機構は、第１軸２１と第３軸２３とを結ぶ直線が中立線となり、第２軸２２が中立線を越えて閉方向に移動すると、戻す力が加わってもハンドル５を動かすことができないトグル機構を構成している。
【００２６】
次に上クランプ部７について説明する。上クランプ部７は第７軸２７に軸支されており、さらに第６軸２６によって第２リンク３２の先端（上端）と枢着されている。また、第２リンク３２の基端には、第４軸２４により第１リンク３１と第２リンク３２と幅方向に重複するように配置された第３リンク３３が枢着されている。この第３リンク３３は、第３軸２３と下クランプ部８を軸支する第５軸２５とによって枢着されており、下クランプ部８に連動するように設けられ、そして第３軸２３により第１リンク３１に枢着されることで、第１リンク３１と連動して動作するものである。なお、第７軸２７には第４リンク３４が枢着されている。
【００２７】
まとめると、第１リンク３１が駆動することにより、第４軸２４及び第６軸２６が図５の状態から図６、図７のような軌跡で円弧運動をすることで、第３リンク３３、第２リンク３２、及び上クランプ部７を回動させ、図８の状態となる。このようなリンク機構により、下クランプ部８の回動力を、第３リンク３３を介して第２リンク３２に伝えることで、上クランプ部７を連動して回動させるものとしている。なお図５のように、第２リンク３２には長孔２８を形成して第２軸２２の動きを逃がすものとしている。
【００２８】
（実施形態２）
図１３及び図１４には実施形態２を示す。この実施形態は、ハンドル５を開状態または閉状態に保持するトグルバネ５１によりバネ機構部１７を構成したものである。なお、トグルバネ５１は本体４に取付けられる第５軸２５に設けられるものであるため、即ち本体４の一部を構成するものである。また、このトグルバネ５１には、係止部１８としてハンドル５の裏面にねじ５２ａを介して取付けた垂直断面略く字状の係止金具５１が当接するものとしている。なお、トグルバネ５１は第５軸２５との間に空隙を設けた上で配置することにより弾性変形可能とし、ハンドル５の閉塞時には係止金具５１がトグルバネ５１を押し込みながら乗り越えるようにすることで、使用者が節度感を得ることができるものとしている。これにより実施形態１と同様に、ハンドル５が確かに閉塞状態となったことを把握・確認することができるものとしている。
【符号の説明】
【００２９】
１  電気機器収納用箱
１ａ  金具
２  扉
３  クランプ式鎖錠装置
４  本体
５  ハンドル
６  リンク機構部
７  上クランプ部
８  下クランプ部
９  ロッド棒
１０  シリンダ錠
１１  キープレート
１２  鍵穴部
１３  キープレート収納部
１４  シリンダ収納部
１５  開口部
１６  筒部
１７  バネ機構部
１７ａ  ねじ
１８  係止部
１９  逃げ部
２１  第１軸
２２  第２軸
２３  第３軸
２４  第４軸
２５  第５軸
２６  第６軸
２７  第７軸
２８  長孔
３１  第１リンク
３２  第２リンク
３３  第３リンク
３４  第４リンク
４１  パッキン
４２  Ｏリング
４３  パッキン
５１  トグルバネ
５２  係止金具
５２ａ  ねじ
【図１】
2017043977.tif 000003
【図２】
2017043977.tif 000004
【図３】
2017043977.tif 000005
【図４】
2017043977.tif 000006
【図５】
2017043977.tif 000007
【図６】
2017043977.tif 000008
【図７】
2017043977.tif 000009
【図８】
2017043977.tif 000010
【図９】
2017043977.tif 000011
【図１０】
2017043977.tif 000012
【図１１】
2017043977.tif 000013
【図１２】
2017043977.tif 000014
【図１３】
2017043977.tif 000015
【図１４】
2017043977.tif 000016